(57)【要約】  包装充填機内のチェーン駆動ジョーシステム（２００）用の張力調整装置（１００）が開示されている。チェーン駆動ジョーシステム（２００）は、固定カム（１０１）と、従動子としてチェーン（１０２）とを含む。張力調整装置（１００）は、チェーン駆動ジョーシステム（２００）の中心（Ｃ）から離れる方に向けられるように構成された外側面（１０４）にチェーン（１０２）を受け入れるような形状及び角度にされたチェーン張力調整要素（１０３）を含み、チェーン張力調整要素（１０３）はピボット連結部（１０５）を含み、及びチェーン張力調整要素（１０３）は、ピボット連結部（１０５）において固定カム（１０１）と一体化されるように構成されて、チェーン張力調整要素（１０３）が、ピボット連結部（１０５）において固定カム（１０１）と当接するようにし、且つチェーン（１０２）に張力をかけるように動くことができるようにする。チェーン駆動ジョーシステム（２００）及び関連の方法も開示される。【選択図】  図１ａ
2020535082.tif 000002
【特許請求の範囲】
【請求項１】
包装充填機内のチェーン駆動ジョーシステム用の張力調整装置（１００）であって、前記チェーン駆動ジョーシステムは、固定カム（１０１）と、従動子としてチェーン（１０２）とを有し、
前記チェーン駆動ジョーシステムの中心（Ｃ）から離れる方に向けられるように構成された外側面（１０４）に前記チェーンを受け入れるような形状及び角度にされたチェーン張力調整要素（１０３）であって、ピボット連結部（１０５）を含むチェーン張力調整要素（１０３）
を含む、張力調整装置（１００）において、
前記チェーン張力調整要素は、前記ピボット連結部において前記固定カムと一体化されるように構成されて、前記チェーン張力調整要素が、前記ピボット連結部において前記固定カムに当接するようにし、且つ前記チェーンに張力をかけるように動くことができるようにすることを特徴とする、張力調整装置（１００）。
【請求項２】
前記ピボット連結部は、前記張力調整要素の第１の端部（１０６）に配置され、前記外側面は、前記第１の端部及びその前記ピボット連結部へと延在して、前記チェーン張力調整要素の外側ピボット面（１０４’）を形成し、前記外側ピボット面は、前記第１の端部において、前記チェーン張力調整要素が前記ピボット連結部を介して組み込まれるように構成されている前記固定カムの第１の部分（１０７）のカム外側面（１０７’）への滑らかな直接移行部を形成するように配置されていることを特徴とする、請求項１に記載の張力調整装置。
【請求項３】
前記外側ピボット面の接線（１０８）は、前記第１の部分に対する前記チェーン張力調整要素の少なくとも１つの位置において、前記第１の部分の前記カム外側面の接線（１０９）と平行して位置合わせされるように構成されていることを特徴とする、請求項２に記載の張力調整装置。
【請求項４】
前記外側ピボット面は、前記固定カムの前記カム外側面への中断なしの移行部を形成するように構成されているため、前記チェーンは、前記外側ピボット面及び前記カム外側面に架けられたときに、連続的に支持されることを特徴とする、請求項２又は３に記載の張力調整装置。
【請求項５】
前記チェーン張力調整要素は、前記第１の端部に対向して、自由端部となる第２の端部（１１０）を含み、及び前記第２の端部は、前記外側面を横切って前記第１の端部へと続けて案内するために、前記チェーンを受け入れるように構成されていることを特徴とする、請求項１〜４のいずれか１項に記載の張力調整装置。
【請求項６】
前記チェーン張力調整要素は、前記チェーン駆動ジョーシステムの前記中心から外向きに前記チェーン張力調整要素を押すように構成されたバネを含み、及び前記バネは、前記ピボット連結部、及び前記チェーン張力調整要素が一体化されるように構成されている前記固定カムの前記第１の部分（１０７）に隣接して配置されていることを特徴とする、請求項２に記載の張力調整装置。
【請求項７】
包装充填機用のチェーン駆動ジョーシステム（２００）であって、
少なくとも１つの固定カム（１０１）、及び従動子としてチェーン（１０２）、
請求項１〜６のいずれか１項に記載の少なくとも１つの張力調整装置（１００、１００’）
を含む、チェーン駆動ジョーシステム（２００）。
【請求項８】
前記チェーンが搬送される経路（１１２）であって、前記チェーンが前記固定カムと当接する第１のセクション（１１３）と、前記チェーンが前記チェーン張力調整要素と当接する第２のセクション（１１４）とを有する、経路
を含み、
それにより、前記経路は、実質的に平行である前記第１及び第２のセクションの少なくとも一部を含む第１の長手方向部分（１１５）を含み、
それにより、前記チェーンが、前記第１の長手方向部分に沿って、前記第１のセクションと第２のセクションとの間にブリッジ部分（１１６）を形成する箇所で、前記ブリッジ部分は、前記ピボット連結部を横切って延在する、請求項７に記載のチェーン駆動ジョーシステム。
【請求項９】
前記ピボット連結部は、前記チェーン張力調整要素の第１の端部（１０６）に配置され、前記外側面は、前記第１の端部及びその前記ピボット連結部へと延在して、前記チェーン張力調整要素の外側ピボット面（１０４’）を形成し、前記外側ピボット面は、前記第１の端部において、前記ピボット連結部を介して前記チェーン張力調整要素が組み込まれている前記固定カムの第１の部分（１０７）のカム外側面（１０７’）への滑らかな移行部を形成するように配置されている、請求項７又は８に記載のチェーン駆動ジョーシステム。
【請求項１０】
前記外側ピボット面の接線（１０８）は、前記第１の部分に対する前記張力調整要素の少なくとも１つの位置において、前記第１の部分の前記カム外側面の接線（１０９）に平行して位置合わせされている、請求項９に記載のチェーン駆動ジョーシステム。
【請求項１１】
前記固定カムの前記第１の部分は、前記第１の部分と前記チェーン駆動ジョーシステムの前記中心との間の距離が、前記第１の部分から、前記第１の部分に対して、前記チェーン駆動ジョーシステムの対向端部（１１７、１１８）の最も近い位置までの、前記チェーン張力調整要素が延在する長手方向（１１９）に沿った距離よりも短くなるように、配置されている、請求項９又は１０に記載のチェーン駆動ジョーシステム。
【請求項１２】
請求項７〜１１のいずれか１項に記載のチェーン駆動ジョーシステム、又は請求項１〜６のいずれか１項に記載の張力調整装置を含む、充填機。
【請求項１３】
固定カム（１０１）と、従動子としてチェーン（１０２）とを有する、包装充填機用のチェーン駆動ジョーシステム（２００）内にあるチェーンに張力をかける方法（３００）であって、
前記チェーン駆動ジョーシステムの中心（Ｃ）から離れる方に向けられた外側面（１０４）に前記チェーンを受け入れるような形状及び角度にされたチェーン張力調整要素（１０３）を含むチェーン張力調整装置を提供すること（３０１）であって、前記チェーン張力調整要素は、ピボット連結部（１０５）において前記固定カムと一体化されるように構成されて、前記チェーン張力調整要素が、前記ピボット連結部において前記固定カムに当接するようにし、及び前記チェーンに張力をかけるように動くことができるようにする、提供すること、及び
前記張力調整装置によって前記チェーンに張力をかけること（３０２）
を含む、方法。
【請求項１４】
複数の張力調整装置を使用することによって、複数のチェーンに張力をかけること（３０３）を含む、請求項１３に記載の方法。
【発明の詳細な説明】
【技術分野】
【０００１】
本開示は、包装充填機内のチェーン駆動ジョーシステムのための張力調整装置、及び関連する方法に関する。
【背景技術】
【０００２】
充填機用のチェーン駆動システム内にあるチェーンは、ジョー及びカウンタージョーのローラをジョーのカムと接触した状態に保つために、張力をかける必要があることが知られている。そのような配置構成の例が欧州特許第０８８７２６９号明細書に開示されており、ここでは、例えば図２に関して、部分Ｐ３、Ｑ３に沿って、チェーン１５、２７が、チェーンに張力をかけるためのそれぞれの対のテンショナー５６と協働して、ジョー１２及びカウンタージョー１３のローラ５２、５３が確実にそれぞれのカム５０、５１と接触して維持されるようにすることを開示している。各テンショナー５６は、壁６又は７に固定された支持体に、水平軸の周りで蝶番で取り付けられた可動シュー５７を含む。壁６又は７から見て外方を向く面に、シュー５７は、２つの隣り合った転動軌道６０、６１を含み、これらは、バネ５９によって、ジョー１２又はカウンタージョー１３のそれぞれのローラ５２及び５３と協働する。
【０００３】
例えば欧州特許第０８８７２６９号明細書に開示されているような配置構成での問題は、チェーンによって駆動されるローラが、テンショナーを配置することによって、高度の摩擦及びチェーンに対するハンマリングに曝されることである。さらに、チェーンを駆動するサーボモータの作業負荷は、例えば摩擦の増大によって増加し、及び配置構成はまた、チェーンの衝撃力に起因して、固定カムの余分な摩耗を生じる。
【発明の概要】
【発明が解決しようとする課題】
【０００４】
それゆえ、改良型の張力調整装置、ジョーシステム、充填機及び方法が、好都合であり、及び特に、チェーン駆動ジョーシステムの摩耗を減少させること、及び関連のモータ駆動部での作業負荷を減少させることを含む、上述の問題及び妥協点を、より回避できるようにする。
【課題を解決するための手段】
【０００５】
従って、本発明の例は、好ましくは、添付の特許請求の範囲に従う装置を提供することによって、上記で特定したような、単独の又はいずれかの組み合わせでの、当業界における欠陥、欠点又は問題のうちの１つ以上を軽減、緩和又は除去する。
【０００６】
第１の態様によれば、包装充填機内のチェーン駆動ジョーシステム用の張力調整装置が提供される。チェーン駆動ジョーシステムは、固定カムと、従動子としてチェーンとを有する。張力調整装置は、チェーン駆動ジョーシステムの中心から離れる方に向けられるように構成された外側面にチェーンを受け入れるような形状及び角度にされたチェーン張力調整要素を含み、チェーン張力調整要素はピボット連結部を含み、及びチェーン張力調整要素は、ピボット連結部において固定カムと一体化されるように構成されて、チェーン張力調整要素が、ピボット連結部において固定カムと当接するようにし、及びチェーンに張力をかけるように動くことができるようにする。
【０００７】
第２の態様によれば、包装充填機用のチェーン駆動ジョーシステムが提供される。チェーン駆動システムは、少なくとも１つの固定カム、従動子としてチェーン、及び少なくとも１つの張力調整装置を含み、張力調整装置は、チェーン駆動ジョーシステムの中心から離れる方に向けられた外側面にチェーンを受け入れるような形状及び角度にされたチェーン張力調整要素を含み、チェーン張力調整要素はピボット連結部を含み、及びチェーン張力調整要素は、ピボット連結部において固定カムと一体化されて、チェーン張力調整要素が、ピボット連結部において固定カムと当接するようにし、及びチェーンに張力をかけるように動くことができるようにする。
【０００８】
第３の態様によれば、第２の態様に記載のチェーン駆動ジョーシステム、又は第１の態様に記載の張力調整装置を含む、充填機が提供される。
【０００９】
第４の態様によれば、カムと、従動子としてチェーンとを有する、包装充填機用のチェーン駆動ジョーシステム内にあるチェーンに張力をかける方法が提供される。方法は、チェーン駆動ジョーシステムの中心から離れる方に向けられた外側面にチェーンを受け入れるような形状及び角度にされたチェーン張力調整要素を含むチェーン張力調整装置を提供することであって、チェーン張力調整要素は、ピボット連結部において固定カムと一体化されるように構成されて、チェーン張力調整要素が、ピボット連結部において固定カムと当接するようにし、及びチェーンに張力をかけるように動くことができるようにすること、及び張力調整装置によってチェーンに張力をかけることを含む。
【００１０】
本発明のさらなる例が、従属請求項に定義されており、ここでは、本開示の第２及び第３の態様の特徴は、変更すべきところは変更して、第１の態様に関するものである。
【００１１】
本開示のいくつかの例は、チェーン駆動ジョーシステムの摩耗を減少させる。
【００１２】
本開示のいくつかの例は、チェーン駆動ジョーシステムのモータ駆動部の作業負荷を減少させる。
【００１３】
本開示のいくつかの例は、チェーン駆動ジョーシステムにおける振動を減少させる。
【００１４】
本開示のいくつかの例は、チェーン駆動ジョーシステム内にあるチェーンのより滑らかな動きをもたらす。
【００１５】
本開示のいくつかの例は、チェーン駆動ジョーシステムのより予測可能及び効率的な保守計画を提供する。
【００１６】
本明細書で使用されるときには、用語「含む（ｃｏｍｐｒｉｓｅｓ／ｃｏｍｐｒｉｓｉｎｇ）」は、説明した特徴、完全体（ｉｎｔｅｇｅｒｓ）、ステップ又は構成要素の存在を特定するが、１つ以上の他の特徴、完全体、ステップ、構成要素又はそれらの群の存在又は追加を除外するものではないと取られることを強調する。
【００１７】
本発明の例が可能であるこれらの及び他の態様、特徴及び利点は、添付図面を参照して、本発明の例の以下の説明から明白であり、及び説明される。
【図面の簡単な説明】
【００１８】
【図１ａ−ｂ】本開示の例による張力調整装置及びチェーン駆動ジョーシステムの概略図である。
【図２】本開示の例によるチェーン駆動ジョーシステム内にある張力調整装置の概略図である。
【図３】本開示の例によるチェーン駆動ジョーシステム内にある張力調整装置の斜視図での概略図である。
【図４】本開示の例によるチェーン駆動ジョーシステム内にある張力調整装置の斜視図での概略図である。
【図５ａ】本開示の例によるチェーン駆動ジョーシステム内にあるチェーンに張力をかける方法のフローチャートである。
【図５ｂ】本開示の例によるチェーン駆動ジョーシステム内にあるチェーンに張力をかける方法の別のフローチャートである。
【発明を実施するための形態】
【００１９】
本発明の具体例を、ここで、添付図面を参照して説明する。しかしながら、本発明は、多くの異なる形態で実現されてもよく、及び本明細書で説明する例に限定されるとみなされるべきではなく、むしろ、これらの例は、本開示が徹底的且つ完全となり、及び本発明の範囲を当業者に十分に伝えるように、提供される。添付図面で説明される例の詳細な説明において使用される用語法は、本発明の限定を意図するものではない。図面では、同様の符号は同様の要素を指す。
【００２０】
図１ａは、包装充填機内のチェーン駆動ジョーシステム２００用の張力調整装置１００の概略図である。チェーン駆動ジョーシステム２００は、固定カム１０１と、従動子としてチェーン１０２とを有する。固定カム１０１は、湾曲した外側軌道を有し、それに沿って、チェーン１０２（破線で示される）がローラを介して搬送される。張力調整装置１００は、チェーン駆動ジョーシステム２００の中心（Ｃ）から離れる方に向けられるように構成された外側面１０４でチェーン１０２を受け入れるような形状及び角度にされたチェーン張力調整要素１０３を含む。図２及び図３は、チェーン張力調整要素１０３の、それぞれ詳細な側面図及び斜視図の、概略図である。それゆえ、面１０４は、固定カム１０１の外側軌道に沿って搬送されるときに、チェーン１０２に当接するように配置されている。チェーン張力調整要素１０３はピボット連結部１０５を含み、その周りで、チェーン張力調整要素１０３が旋回し得る。チェーン張力調整要素１０３は、ピボット連結部１０５において固定カム１０１と一体化されるように構成されて、チェーン張力調整要素１０３が、ピボット連結部１０５において固定カム１０１に当接できるようにし、且つチェーン１０２に張力をかけるように動くことができるようにする。固定カム１０１と一体化されるように、すなわちピボット連結部１０５において固定カム１０１と当接して構成されたチェーン張力調整要素１０３を有することによって、チェーン１０２は、十分に張力がかけられながらも、チェーン張力調整要素１０３からカム１０１上へと滑らかに動き得る。対照的に、関連のチェーンがカムから分離されるように、チェーン張力調整要素とカムとの間に、支持されていないブリッジを形成する従来技術の張力調整要素は、チェーンのより不規則かつ、制御されていない動きの経路を生じ、損害を与える振動のリスクを上昇させ、構成要素の摩耗を増大させる。それゆえ、張力調整要素１０３を固定カム１０１と一体化し、外側面１０４を、カム１０１の外側軌道へ直接移行できるようにすることによって、チェーン１０２への連続的な支持、並びに振動及び摩耗の減少をもたらす。振動の減少はまた、チェーン１０２のモータ駆動部への作業負荷の減少、並びにチェーン１０２がより滑らかに摺動し且つ何かに当たる傾向が少なくなる（そうでなければ、モータの不要な加速及び／又は減速を生じ得る）ため、より長い寿命又はより長いサービス期間をもたらす。例えば図１ａ及び図２に示すように、旋回中心１０５は、固定カム１０１の外側軌道にすぐ隣接して固定カム１０１に組み込まれ得るため、下記でより詳細に説明するように、チェーン張力調整要素１０３とカム１０１の外側軌道との間は滑らかに移行する。
【００２１】
チェーン張力調整要素１０３は、湾曲した外側面１０４を有し、そこで、例えば図１ａの例に示すように、チェーン１０２が滑り得る。湾曲した外側面１０４を有することによって、チェーン張力調整要素１０３が、チェーン１０２の経路に従うことができるようになるため、チェーン張力調整要素１０３によって導入される抵抗は最小限であるが、同時に、次第にチェーン１０２をピーンと張るようにする。
【００２２】
図２を参照して説明すると、ピボット連結部１０５は、張力調整要素１０３の第１の端部１０６に配置され得る。外側面１０４は、第１の端部１０６及びそのピボット連結部１０５へと延在して、チェーン張力調整要素１０３の外側ピボット面１０４’を形成し得る。上述の通り、第１の端部１０６にある外側ピボット面１０４’は、チェーン張力調整要素１０３がピボット連結部１０５を介して組み込まれるように構成される固定カム１０１の第１の部分１０７のカム外側面１０７’への滑らかな直接移行部を形成するように配置され得る。図２は、動作中のチェーン１０２、カム１０１及びチェーン張力調整要素１０３の振動及び摩耗を減少させる、第１の部分１０７のカム外側面１０７’への滑らかな直接移行部を形成するように配置された外側ピボット面１０４’を概略的に示す。従って、これはまた、過度の摩耗のリスクなく、システム２００、並びに張力調整装置１００及びシステム２００が配置され得る充填機（図示せず）のスループットを高めるために、チェーン駆動ジョーシステム２００をより高速で動作できるようにする。
【００２３】
外側ピボット面１０４’の接線１０８は、図２に概略的に示すように、第１の部分１０７に対するチェーン張力調整要素の少なくとも１つの位置において、第１の部分１０７のカム外側面１０７’の接線１０９と平行して位置合わせされるように構成され得る。そのような配置構成は、張力、すなわちチェーン張力調整要素１０３の角度が変更されるときにも、外側ピボット面１０４’とカム外側面１０７’との間の滑らかな移行を可能にし、これは、接線１０８、１０９が初期較正位置において平行しており、及び上述の角度のわずかな変化のみが、張力をさらに調整するために必要とされ得ることが考えられるためである。
【００２４】
外側ピボット面１０４’は、固定カム１０１のカム外側面１０７’への中断なしの移行部を形成するように構成され得るため、チェーン１０２は、外側ピボット面１０４’及びカム外側面１０７’に架けられるときに、連続的に支持される。従って、外側ピボット面１０４’とカム外側面１０７’との間には間隙がないとし得、チェーン１０２の支持を改善し、且つ振動のリスクを減少させる。
【００２５】
チェーン張力調整要素１０３は、第１の端部１０６に対向して、自由端部となる第２の端部１１０を含み得る。第２の端部１１０は、外側面１０４を横切って第１の端部１０６へと続けて案内するために、チェーン１０２を受け入れるように構成され得る。自由端部となる第２の端部１１０を有することによって、チェーン１０２は、チェーン１０２が動く方法とほぼ無関係に、第２の端部１１０上へと滑り込み、その後、再度、カム１０１の他方の第１の端部１０６における正しい位置内へと案内され得る。
【００２６】
チェーン張力調整要素１０３は、チェーン駆動ジョーシステム２００の中心（Ｃ）からチェーン張力調整要素１０３を外向きに押すように構成されたバネ１２０を含み得る。バネ１２０は、ピボット連結部１０５、及びチェーン張力調整要素１０３が組み込まれるように構成されている固定カム１０１の第１の部分１０７に隣接して配置され得る。チェーン張力調整要素１０３をチェーン１０２の方へ押すバネ１２０を有することによって、チェーン１０２は、張力がかけられ得るが、同時に、バネ１２０は、いくつかの力の方向において、ある程度の可撓性を持たせることを可能にする。ピボット連結部１０５及び固定カム１０１の第１の部分１０７に隣接して配置されるように構成されたバネ１２０を有することによって、上述の張力調整を可能にしながら、第１の部分１０７と一体化されたチェーン張力調整要素１０３に関して上述の利益をもたらす。バネ１２０は、ピボット連結部１０５と一体化されて、張力調整装置１００により少数の構成要素を提供し得る。
【００２７】
第１の端部１０６と第２の端部１１０との間に接続されたバネ１２０を有することによって、バネ１２０の効果を変化させて、張力調整を最適にすることが可能である。
【００２８】
包装充填機用のチェーン駆動ジョーシステム２００が提供される。チェーン駆動システム２００は、上述の通り、少なくとも１つの固定カム１０１と、従動子としてのチェーン１０２とを含む。チェーン駆動ジョーシステム２００は、少なくとも１つの張力調整装置１００、１００’を含む。張力調整装置１００、１００’は、チェーン駆動ジョーシステム２００の中心（Ｃ）から離れる方に向けられた外側面１０４上にチェーンを受け入れるような形状及び角度にされたチェーン張力調整要素１０３を含む。チェーン張力調整要素１０３はピボット連結部１０５を含み、及びチェーン張力調整要素１０３は、ピボット連結部１０５において固定カム１０１と一体化されて、チェーン張力調整要素１０３が、ピボット連結部１０５において固定カム１０１に当接するようにし、及びチェーン１０２に張力をかけるように動くことができるようにする。それゆえ、チェーン駆動ジョーシステム２００は、張力調整装置１００及び図１〜３に関して上述したような、好都合な利益をもたらす。チェーン駆動ジョーシステム２００は、図４に概略的に示すように、互いに平行に配置された少なくとも２つの張力調整装置１００、１００’を含み得る。チェーン張力調整装置１００、１００’のうちの少なくとも２つを含むチェーン駆動ジョーシステム２００が、複数のチェーン１０１を滑らかに、同時に互いに平行に延びることができるようにし、及びより複雑なジョーシステム２００を可能にする。
【００２９】
チェーン駆動ジョーシステム２００は経路１１２を含み、それに沿って、チェーン１０２が搬送される。経路１１２は、図１ｂに概略的に示すように、チェーン１０２が固定カム１０１と当接する第１のセクション１１３と、チェーン１０２がチェーン張力調整要素１０３と当接する第２のセクション１１４とを含む。すなわち、経路１１２は、固定カム１０１及びチェーン張力調整要素１０３の外側面又は外側軌道を辿る。経路１１２は、第１及び第２のセクション１１３、１１４の少なくとも一部を含む第１の長手方向部分１１５を含み、これら第１及び第２のセクションは、第１の部分１０７に対するチェーン張力調整要素１０３の少なくとも１つの位置において、実質的に平行であり、且つ長手方向において端と端が位置合わせされている。それゆえ、チェーン１０２は、第１の長手方向部分１１５に沿った第１のセクション１１３と第２のセクション１１４との間にブリッジ部分１１６を形成し得るため、ブリッジ部分１１６は、ピボット連結部１０５を横切って延在する。そのような配置構成は、同様に、張力、すなわちチェーン張力調整要素１０３の角度が変更されるときに、外側ピボット面１０４’とカム外側面１０７’との間の滑らかな移行を可能にし、これは、第１及び第２のセクション１１３、１１４が初期較正位置において平行とし得、及び上述の角度のわずかな変化のみが張力をさらに調整するために必要とされ得ることが考えられるためである。
【００３０】
上述の通り、ピボット連結部１０５は、チェーン張力調整要素１０３の第１の端部１０６に配置され得る。外側面１０４は、第１の端部１０６及びそのピボット連結部１０５へと延在して、張力調整要素１０３の外側ピボット面１０４’を形成し得る。第１の端部１０６において、外側ピボット面１０４’は、チェーン張力調整要素１０３がピボット連結部１０５を介して組み込まれている固定カム１０１の第１の部分１０７のカム外側面１０７’への滑らかな移行部を形成するように配置され得る。
【００３１】
及び、さらに説明するように、外側ピボット面１０４’の接線１０８は、第１の部分１０７に対する張力調整要素１０３の少なくとも１つの位置において、第１の部分１０７のカム外側面１０７’の接線１０９と平行して位置合わせされ得る。
【００３２】
固定カム１０１の第１の部分１０７は、第１の部分１０７とチェーン駆動ジョーシステム２００の中心（Ｃ）との間の距離が、第１の部分１０７から、第１の部分１０７に対して、チェーン駆動ジョーシステム２００の対向端部１１７、１１８の最も近い位置までの、チェーン張力調整要素１０３が延在する長手方向１１９に沿った距離よりも短くなるように、配置され得る（図１ａ参照）。それゆえ、第１の部分は、中心（Ｃ）に隣接して、又は対向端部１１７、１１８のいずれかよりも中心の近くに配置され得る。また、ピボット連結部１０５は第１の部分１０７と一体化されるため、同じ配置構成がピボット連結部１０５に適用される、すなわち、ピボット連結部１０５は、中心（Ｃ）に隣接して、又は対向端部１１７、１１８のいずれかよりも中心の近くに配置され得る。チェーン張力調整要素１０３は、ピボット連結部１０５において固定カム１０１に配置されるため、その対向端部１１７と１１８との間のカム１０１の全距離に沿って、チェーン１０２を支持できるようにし、中心（Ｃ）に隣接して中断がないようにする。
【００３３】
図１〜４に関して上述したような、チェーン駆動ジョーシステム２００を含む充填機（図示せず）が提供される、及び／又は充填機は、図１〜４に関して上述したような張力調整装置１００を含む。それゆえ、充填機は、張力調整装置１００及びチェーン駆動ジョーシステム２００、及び図１〜４に関して上述したような、好都合な利益をもたらす。それゆえ、充填機は、より高い動作速度でも、その構成要素の振動及び／又は摩耗の量が減少された状態で動作され得る。
【００３４】
図５ａは、包装充填機用のチェーン駆動ジョーシステム２００内にあるチェーンに張力をかける方法３００のフローチャートを示す。方法２００のステップが説明及び図示される順序は、限定とみなされるべきではなく、ステップは、様々な順序で実施され得ると考えられる。それゆえ、方法２００は、チェーン駆動ジョーシステム２００の中心（Ｃ）から離れる方に向けられた外側面１０４にチェーンを受け入れるような形状及び角度にされたチェーン張力調整要素１０３を含む張力調整装置１００を提供すること３０１を含んで提供される。チェーン張力調整要素１０３は、ピボット連結部１０５において固定カム１０１と一体化されるように構成されて、チェーン張力調整要素１０３が、ピボット連結部１０５において固定カム１０１に当接するようにし、及びチェーン１０２に張力をかけるように動くことができるようにする。方法３００は、張力調整装置１００によってチェーン１０２に張力をかけること３０２を含む。それゆえ、方法３００は、張力調整装置１００及びチェーン駆動ジョーシステム２００、及び図１〜４に関して上述したような、好都合な利益をもたらす。それゆえ、張力調整装置１００を使用することによって、チェーン１０２での張力は保証され、同時に、チェーン張力調整要素１０３から固定カム１０１へのより滑らかな移行がもたらされる。
【００３５】
図５ｂは、包装充填機用のチェーン駆動ジョーシステム２００内にあるチェーン１０２に張力をかける方法３００’のさらなるフローチャートを示す。方法３００’のステップが説明及び図示される順序は、限定とみなされるべきではなく、ステップは、様々な順序で実施され得ると考えられる。それゆえ、方法３００’は、方法３００のステップを含み得、且つまた、複数の張力調整装置１００、１００’を使用して、複数のチェーン１０２に張力をかける。
【００３６】
本発明について、具体例を参照して上記で説明した。しかしながら、上記以外の他の例が、本発明の範囲内で等しく可能である。本発明の異なる特徴及びステップは、説明したもの以外の組み合わせで組み合わせられてもよい。本発明の範囲は、添付の特許請求の範囲によってのみ限定される。
【００３７】
より一般的には、当業者は、本明細書で説明する全てのパラメータ、寸法、材料、及び構成が、例示を意味すること、及び実際のパラメータ、寸法、材料、及び／又は構成は、本発明の教示が使用される特定の１つ又は複数の適用例に依存することを容易に理解する。
【図１ａ】
2020535082.tif 000003
【図１ｂ】
2020535082.tif 000004
【図２】
2020535082.tif 000005
【図３】
2020535082.tif 000006
【図４】
2020535082.tif 000007
【図５ａ】
2020535082.tif 000008
【図５ｂ】
2020535082.tif 000009
【国際調査報告】
2020535082.tif 000010
2020535082.tif 000011
2020535082.tif 000012
2020535082.tif 000013
2020535082.tif 000014
2020535082.tif 000015
2020535082.tif 000016